(57)【要約】      （修正有）【課題】簡易な構造でありながら、粉粒体の漏れの完全な阻止や必要な強度に対し充分に満足した上で、開封を容易且つ完全に行うことが出来る開封容易な袋を提供する。【解決手段】紙状筒２の上紙２ａ及び下紙２ｂの一方を折り目に沿い展開して、両側及びそれらの中心部に三角折込み部及び開口部７を有する展開面を形成し、上紙２ａ及び下紙２ｂに、開口部７を充分に塞ぐ折れ筋９ａ、９ｂを付けて、折れ筋９ｂに沿い下紙２ｂを開口部７側に折り畳んで両側の三角折込み部同士で貼り合わせ、且つ上紙２ａの端辺に所定幅の折曲げ片１０を形成し、その上紙２ａを、折れ筋９ａに沿い開口部７側に折り畳んで折曲げ片１０を不貼状態で下紙２ｂ上に、貼り合わせて開口部７を塞ぎ、上紙２ａ及び下紙２ｂ上に開封テープ１１付の化粧紙１２を貼り合わせて、開封テープ１１を、折曲げ片１０より外側に位置させることで、上記課題を達成する。【選択図】図８
2014080202.tif 000002
【特許請求の範囲】
【請求項１】
平坦に折り潰した紙状筒の一方の開口端部にこれと平行な折り目を開口端から充分に離れた位置に付け、前記折り目まで開口端の両角を折り込み、その状態で形成した上紙及び下紙の一方を折り目に沿い展開して、両側及びそれらの中心部に三角折込み部及び開口部を有する展開面を形成し、該展開面の前記上紙及び下紙に、これらを前記開口部側に折り畳んで前記開口部を充分に塞ぎ、且つ折り目と平行な折れ筋を付けて、該折れ筋に沿い前記下紙を前記開口部側に折り畳んで両側の三角折込み部同士で貼り合わせ、且つ前記上紙の端辺を折れ筋と平行に所定幅を有して前記開口部側に折り畳んで折曲げ片を形成し、その状態の前記上紙を折れ筋に沿い前記開口部側に折り畳んで前記折曲げ片を不貼り状態で前記下紙上に貼り合わせて前記開口部を塞ぎ、上紙及び下紙上に開封テープ付の化粧紙を貼り合わせてなり、前記開封テープは、前記折曲げ片より外側に位置していることを特徴とする開封容易な袋。
【請求項２】
前記折り目における開口端から充分に離れた位置は、紙状筒の一方の開口端から、平坦に折り潰した紙状筒の幅寸法Ｗに対して、最大で１／３Ｗ以下である請求項１記載の開封容易な袋。
【請求項３】
前記折曲げ片の幅寸法ｗは、１０ないし２０ｍｍの範囲内である請求項１または２記載の開封容易な袋。
【発明の詳細な説明】
【技術分野】
【０００１】
本発明は、米、麦、コンスターチ、デンプンなどの食品に由来する粉粒体、飼料、プラスチック樹脂、セメント、石灰、カーボンブラックなどの粉粒体を収納するための開封容易な袋に関するものであり、より詳しくは、簡易な構造でありながら、内容物である粉粒体の漏れを完全に阻止するとともに、優れた強度有し、開封を容易且つ完全に行うことが出来る開封容易な袋に関する。
【背景技術】
【０００２】
従来の開封容易な袋として、図１１に示すように、閉塞時に、上下の水平折込線折込部５０、５１の重接しない下側の水平折込線折込部５１の上に位置するように開封テープ５２付のアウターパッチ５３を底部に貼り付けてなり、上下の水平折込線折込部５０、５１裏面に剥離容易なノリを塗布し、さらに、アウターパッチ５３の裏面に長手方向両外側に固着接合用の帯状ノリ５４を、その内側に剥離容易な帯状ノリ５５を塗布することで、上記底部にアウターパッチ５３を貼り付けてなるものが知られている（例えば、特許文献１参照）。
【０００３】
また、図１２に示すように、平坦に折り潰した紙状筒６０の一方の開口端６１の両角に三角折込み部６２（６３）を形成すると共に、その状態で紙状筒６０の折り潰しにより形成した上紙６４及び下紙６５の一方を開いて展開面６６を形成し、この展開面６６の中心部開口６７を覆うために上紙６４及び下紙６５に折れ筋６８を付けて、展開面６６の両三角折込み部６２、６３を渡り中心部開口６７を覆うと共に折れ筋６８を外方にはみ出し且つ引き剥がし片６９付のインナーパッチ７０を、展開面６６に易剥離性接着剤７１にて貼り合わせて開封側開口部７２とし、上記折れ筋６８に沿い上紙６４及び下紙６５を折り畳み貼り合わせ、その上に開封テープ付のアウターパッチを貼り付けてなる開封容易な袋が知られている（例えば、特許文献２参照）。
【０００４】
また、図１３に示すように、平坦に折り潰した紙状筒６０の一方の開口端６１の両角に三角折込み部６２、６３を形成すると共に、その状態で紙状筒６０の折り潰しにより形成した上紙６４及び下紙６５の一方を第１折線７３に沿い開いて展開面６６を形成し、上紙６４及び下紙６５を第１折線７３に平行な第２折線７４に沿って内側に折り曲げ重ね貼り合わせて底部を形成し、その底部過程で、折り曲げ部同士を剥離容易に貼り合わせ、且つ展開面６６の中央に、長辺が三角折込み部６２、６３を渡り短辺が第２折線７４を越えるインナーパッチ７０を、一方の第２折線７４の外側に沿い線状に貼り合わせ、その上に開封テープ付のアウターパッチを貼り付けてなるた開封容易な袋が知られている（例えば、特許文献３参照）。
【０００５】
さらに、図１４に示すように、平坦に折り潰した紙状筒６０の一方の開口端６１の両角に三角折込み部６２、６３を形成すると共に、その状態で紙状筒６０の折り潰しにより形成した上紙６４及び下紙６５の一方を第１折線７３に沿い開いて展開面６６を形成し、上紙６４及び下紙６５を第１折線７３に平行な第２折線７４に沿って内側に折り曲げ重ね貼り合わせて底部を形成し、上紙６４及び下紙６５の内側に、それらの端縁から第１折線７３を越える長さで上紙６４及び下紙６５に密に嵌合する閉鎖筒体７５及び７６を、それらの端縁と上紙６４及び下紙６５の端縁とを一致させて貼設してなる、バルブ付の開封容易な袋が知られている（例えば、特許文献４参照）。
【先行技術文献】
【特許文献】
【０００６】
【特許文献１】実公平１−２６５９８号公報
【特許文献２】特開２００４−３０７００８号公報
【特許文献３】特開平９−１４２４９０号公報
【特許文献４】特開平７−５２９５７号公報
【発明の概要】
【発明が解決しようとする課題】
【０００７】
特許文献１の開封容易な袋は、アウターパッチ５３を開封テープ５２によって切断すると、アウターパッチ５３と下の水平折込線折込部５１及び斜め折込線折込部とは、剥離容易なノリにより糊付けされているので、一体となって切断されたアウターパッチ５３と上の水平折込線折込部５０は、下の水平折込線折込部５１及び斜め折込線折込部から容易に剥離できる。さらに、下の水平折込線折込部５１も斜め折込線折込部に剥離容易なノリにより糊付けされているので、斜め折込線折込部から容易に剥離でき、完全に開封することができる。しかしながら、この袋を完全に開封するには、まず開封テープ５２によりアウターパッチ５３を切断して、アウターパッチ５３と上の水平折込線折込部５０を剥離し、さらに下の水平折込線折込部５１も剥離しないと、完全に開封することができないという、二段構えとなる不都合が生ずる虞がある。加えて、水平折込線折込部５０及び５１の折込幅が狭いと、密封性が低下し内容物が漏れる虞もある。
【０００８】
特許文献２の開封容易な袋は、アウターパッチを開封テープにより切断し、上紙６４及び下紙６５を剥がしてインナーパッチ７０を裸出し、さらに、インナーパッチ７０を引き剥がし片６９により剥がすことができる。しかしながら、この開封容易な袋を開封するには、上記したように、三段構えとなってしまう不都合が生ずる虞がある。加えて、密封性を確保するために、別途インナーパッチ７０を設ける必要がある。
【０００９】
特許文献３の開封容易な袋は、アウターパッチを開封テープにより切断し、上紙６４及び下紙６５を裸出して、上紙６４及び下紙６５を剥がしてインナーパッチ７０を裸出し、その状態で開封容易な袋をインナーパッチ７０側を下方に向けると、内容物の重みにより、インナーパッチ７０が強固に接着している一辺を除き他の辺が開くことで、インナーパッチ７０を開封することができる。しかしながら、この開封容易な袋を開封するには、上記したように、二段構えとなってしまい、その上、最終的に開封するか、どうかが、内容物の重みに依存しているという、不都合が生ずる虞がある。加えて、密封性を確保するために、別途インナーパッチ７０を設ける必要がある。
【００１０】
特許文献４の開封容易な袋は、アウターパッチを開封テープにより切断し、上紙６４及び下紙６５を裸出すれば、上紙６４及び下紙６５を剥がし、開封することができる。しかしながら、この開封容易な袋は、密封性を確保するために、別途閉鎖筒体７５及び７６を設ける必要があり、さらに、この閉鎖筒体７５及び７６を設けることは、袋製造の際に、製袋機械にセットするのが難しい。
【００１１】
そこで、本発明の目的は、簡易な構造でありながら、粉粒体の漏れの完全な阻止や必要な強度に対し充分に満足した上で、開封を容易且つ完全に行うことが出来る開封容易な袋を提供することにある。
【課題を解決するための手段】
【００１２】
本発明は、上記目的を達成するために提案されたものであって、下記の構成からなることを特徴とするものである。
すなわち、本発明によれば、平坦に折り潰した紙状筒の一方の開口端部にこれと平行な折り目を開口端から充分に離れた位置に付け、前記折り目まで開口端の両角を折り込み、その状態で形成した上紙及び下紙の一方を折り目に沿い展開して、両側及びそれらの中心部に三角折込み部及び開口部を有する展開面を形成し、該展開面の前記上紙及び下紙に、これらを前記開口部側に折り畳んで前記開口部を充分に塞ぎ且つ折り目と平行な折れ筋を付けて、該折れ筋に沿い前記下紙を前記開口部側に折り畳んで両側の三角折込み部同士で貼り合わせ、且つ前記上紙の端辺を折れ筋と平行に所定幅を有して前記開口部側に折り畳んで折曲げ片を形成し、その状態の前記上紙を折れ筋に沿い前記開口部側に折り畳んで前記折曲げ片を不貼り状態で前記下紙上に貼り合わせて前記開口部を塞ぎ、上紙及び下紙上に開封テープ付の化粧紙を貼り合わせてなり、前記開封テープは、前記折曲げ片より外側に位置していることを特徴とする開封容易な袋が提供される。
【００１３】
また、本発明によれば、前記折り目における開口端から充分に離れた位置は、紙状筒の一方の開口端から、平坦に折り潰した紙状筒の幅寸法Ｗに対して、最大で１／３Ｗ以下である開封容易な袋が提供される。
【００１４】
また、本発明によれば、前記折曲げ片の幅寸法ｗは、１０ないし２０ｍｍの範囲内である開封容易な袋が提供される。
【００１５】
上記第１の課題解決手段による作用は次の通りである。
すなわち、展開面の中心部の開口部を、上紙及び下紙を折り畳むことで充分に塞ぎ、且つ、下紙を両側の三角折込み部同士で貼り合わせ、下紙上に上紙をその折曲げ片を不貼り状態で貼り合わせて、折曲げ片より外側に位置している開封テープにより化粧紙を開封し、折曲げ片を裸出して、不貼り状態の折曲げ片を手指でつかみ押し開いて、開口部を開放し内容物を取り出すことができる。
【００１６】
また、上記第２の課題解決手段による作用は、折り目の位置が紙状筒の開口端から紙状筒の幅寸法Ｗの最大で１／３Ｗの位置にあると、上紙及び下紙を開口部側に折り畳んで開口部を充分に塞ぐことになり、内容物の漏れを阻止することができる。
【００１７】
また、上記第３の課題解決手段による作用は、折曲げ片の幅寸法ｗが、１０ないし２０ｍｍの範囲にあることにより、不貼り状態の折曲げ片を手指でつかみ得て上紙を押し開き、開口部を開放することができる。
【発明の効果】
【００１８】
本発明の開封容易な袋によれば、簡易な構造でありながら、内容物である粉粒体の漏れの完全な阻止や、必要な強度に対し充分に満足した上で、開封を容易且つ完全に行うことが出来る効果がある。
【００１９】
また、本発明の開封容易な袋によれば、上記の効果に加えて、内容物である粉粒体の漏れの完全な阻止を確実にする効果がある。
【００２０】
また、本発明の開封容易な袋によれば、上記の効果に加えて、開口部を確実に開放できる効果がある。
【図面の簡単な説明】
【００２１】
【図１】実施例１に示した、本発明の実施の形態を示す開封容易な袋の製作状態を示す    平面図である。
【図２】同じく上記袋の製作状態を示す平面図である。
【図３】同じく上記袋の製作状態を示す平面図である。
【図４】同じく上記袋の製作状態（下図）と従来例の製作状態（上図）との対比を示        す平面図である。
【図５】同じく上記袋の製作状態を示す平面図である。
【図６】同じく上記袋の製作状態（下図）と従来例の製作状態（上図）との対比を示        す平面図である。
【図７】同じく上記袋の製作状態を示す平面図である。
【図８】図７のVIII−VIII線 に沿う断面図である。
【図９】本発明の袋の利用状態を示す斜視図である。
【図１０】本発明の袋の利用状態を示す斜視図である。
【図１１】従来例を示す斜視図である。
【図１２】従来例を示す斜視図である。
【図１３】従来例を示す平面図である。
【図１４】従来例を示す平面図である。
【発明を実施するための形態】
【００２２】
以下に、図面を参照して本発明を実施するための形態を説明する。
【実施例１】
【００２３】
図面において、１は開封容易な袋であり、この開封容易な袋１は、平坦に折り潰した紙状筒２の一方の開口端部３Ａにこれと平行な折り目４を開口端３ａから充分に離れた位置に付け、折り目４まで開口端３ａの両角Ｃ１、Ｃ１を折り込み、その状態で形成した上紙２ａ及び下紙２ｂの一方を折り目４に沿い展開して、両側及びそれらの中心部に三角折込み部５、６及び開口部７を有する展開面８を形成し、この展開面８の上紙２ａ及び下紙２ｂに、これらを開口部７側に折り畳んで開口部７を充分に塞ぎ且つ折り目４と平行な折れ筋９ａ、９ｂを付けて、これらの折れ筋９ｂに沿い下紙２ｂを開口部７側に折り畳んで両側の三角折込み部５、６同士で貼り合わせる（図３参照）。
次に、上紙２ａの端辺を折れ筋９ａと平行に所定幅ｗを有して開口部７側に折り畳んで折曲げ片１０を形成し、その状態の上紙２ａを、折れ筋９ａに沿い開口部７側に折り畳んで折曲げ片１０を貼らない状態で下紙２ｂ上に、貼り合わせて開口部７を塞ぎ、さらに、上紙２ａ及び下紙２ｂ上に開封テープ１１付の化粧紙１２（図７参照）を貼り合わせるものであり、開封テープ１１は、上紙２ａの折曲げ片１０より外側に位置している。
【００２４】
この紙状筒２は、径及び長さとも使用目的に合わせた任意のものが選択され、この実施例では２枚重ねにしたものが使用されているが、これに限定されず３層以上の多層でも良い。紙状筒２の材質はクラフト紙に限らず、脱気性を付与し且つ所定の強度を有したものであれば、特に限定がなく、樹脂シート、紙に樹脂シートを貼り付けたものなどが使用される。なお、化粧紙１２などの材質も、上記紙状筒２と同様に適宜任意のものが選択される。
【００２５】
上記構成になる開封容易な袋１は、以下のようにして作られる。
まず、２層以上の紙状筒２について、その径及び長さとも使用目的に合わせた任意のものを選択する。そして、図１に示すように、選択した紙状筒２を折り潰し、その折り潰した紙状筒２の一方の開口端部３Ａ側、すなわち、内容物の取出口側に、この開口端３ａと平行な折り目４を付けるが、この際、折り目４を開口端３ａから充分に離れた位置Ｐに付ける。具体的には、この折り目４における開口端３ａから充分に離れた位置Ｐは、紙状筒２の一方の開口端３ａから、平坦に折り潰した紙状筒２の幅寸法Ｗの最大で１／３Ｗ以下であるのがよい。理論的にみると、この位置Ｐは１／２Ｗまで可能であるが、紙状筒２の素材使用量に対して、袋の容量が非常に少なくなり、経済的でなくなる。逆に、この位置Ｐが１／５Ｗ以下になると、上紙２ａ及び下紙２ｂを開口部７側に折り畳んでも、開口部７を充分に塞いだことにならず、内容物が漏れる虞が生じる。
【００２６】
本発明の実施形態を示す図４の下図では、位置Ｐが１／４Ｗであり、従来例を示す図４の上図（便宜上、実施例１と同じ符号を付す。）では、位置Ｐは１／４．６Ｗであるが、開口部７を塞ぐ幅は、従来例では両側ともにａ寸法だけ短くなって、開口部７を充分に塞いだことになりづらくなり、内容物が漏れる虞が増すことになる。逆に、本発明の実施形態では、折り目４の位置Ｐが従来例の１／４．６Ｗから１／４Ｗに代わっただけで、従来例に比べて両側ともにａ寸法だけ長くなって、内容物が漏れる虞が大幅に減り、事実上内容物が漏れないことになる。
【００２７】
そして、この紙状筒２の開口端３ａの両角Ｃ１、Ｃ１を図１の二点鎖線で示すように、折り目４まで折り込む。同じく、この紙状筒２の他方の開口端部側、すなわち、底部側に、にも、この開口端と平行な折り目を所定幅で付け、他方の開口端の両角も、折り目まで折り込む。
【００２８】
次に、紙状筒２の両角Ｃ１、Ｃ１を図１の二点鎖線で示す折り目４まで折り込んだ状態で、紙状筒２の折り潰しにより形成した上紙２ａ及び下紙２ｂのうち、下紙２ｂを折り目４に沿って展開し、図２に示すように、両側及びその中心部に三角折込み部５、６及び開口部７を有する展開面８を形成する。さらに、展開面８の上紙２ａ及び下紙２ｂを開口部７側に折り畳んで、開口部７を充分に塞ぐことができる折れ筋９ａ、９ｂを上紙２ａ及び下紙２ｂに付ける。すなわち、開口部７を充分に塞げる折り目４の位置Ｐは、既述のとおり、紙状筒２の開口端３ａからほぼ１／４Ｗないし１／３Ｗの範囲であり、折り目４の位置Ｐが上記の範囲であると、上紙２ａ及び下紙２ｂにより開口部７を充分に塞ぐことができる。
【００２９】
そして、本発明の実施形態を示す図４の下図の斜線で示す範囲における展開面８の上紙２ａ及び下紙２ｂに、充分な接着強度を有しながら必要時に剥離できる、いわゆる剥離のりを塗布する。そのあと、図３に示すように、下紙２ｂを折れ筋９ｂに沿い折り畳んで両側の三角折込み部５、６同士で貼り付ける。さらに、上紙２ａの端辺を折れ筋９ａと平行に所定幅ｗを有して開口部７側に折り畳んで、折曲げ片１０を形成する。なお、この折曲げ片１０には、図４の下図で示したように、剥離のりを塗布しない。この状態の上紙２ａを折れ筋９ｂに沿い折り畳んで下紙２ｂ上に貼り付ける（図５参照）。また、この折曲げ片１０は、その幅寸法ｗが１０ないし２０ｍｍの範囲内であり、この範囲内で適宜決定される。折曲げ片１０が上記の範囲内の幅寸法ｗであれば、不貼り状態の折曲げ片１０を手指でつかみ得て、上紙２ａを押し開き、開口部７を容易に開放し得ることになる。
【００３０】
図６に示すように、斜線部分が剥離のりによる貼り付け部分であり、本発明の実施形態を示す図４の下図では、位置Ｐが１／４Ｗであり、従来例を示す図４の上図では、位置Ｐは１／４．６Ｗであるが、開口部７を塞ぐ幅は、本発明の実施形態では両側ともにａ寸法だけ長くなり、内容物が漏れる虞がなくなる。また、上紙２ａの所定幅ｗを有した折曲げ片１０により、本発明の実施形態を示す図６の下図におけるｂ寸法と、従来例を示す図６の上図におけるｃ寸法とが、ほぼ同じ（ｂ寸法≒ｃ寸法）となる。したがって、図７、８に示すように、上紙２ａ及び下紙２ｂ上に開封テープ１１付の化粧紙１２を貼り合わせても、開封テープ１１は、上紙２ａの折曲げ片１０より外側に位置することになる。
【００３１】
このため、開封テープ１１にて化粧紙１２を切断すれば、上紙２ａの折曲げ片１０部分を裸出でき、折曲げ片１０部分は貼り合わせされていないので、１０ないし２０ｍｍの範囲内の折曲げ片１０部分を手指で容易につまむことができ、上紙２ａの剥離のりで貼り合わせてある部分を剥がせば、開口部７を開放でき、内容物を取り出すことができる。なお、図８において、仮に、上紙２ａに折曲げ片１０部分がなく、２点鎖線で示すように、折曲げ片１０相当部分を延ばした状態で、下紙２ｂ上に上紙２ａを貼り付けた場合、その上に開封テープ１１付の化粧紙１２を貼り合わせると、上紙２ａ上に開封テープ１１を貼り付けることになる。したがって、開封テープ１１にて化粧紙１２を開封しても、下紙２ｂ上に上紙２ａを貼り付けた状態となって、上紙２ａを手指でつまむことが出来ず、カッターなどで上紙２ａ及び下紙２ｂを切除しなければ、開口部７を開放することができず、内容物を取り出すことができないことになる。
【００３２】
そして、上述の紙状筒２の他方の開口端部側、すなわち、底部側も、開口端部３Ａ側、すなわち、内容物の取出口側とほぼ同じようにして閉じる。ただし、開封容易な袋１内に
内容物を充填するためのバルブ２０が取り付けられ、底部は開封する必要がないから、化粧紙１２Ａには開封テープがなく、開口部も開放する必要がないから、貼り合わせには上記した剥離のりではなく、固着するための固着のりを使用する。
【００３３】
上記構成になる本発明の開封容易な袋１は次のように使用される。
まず、開封容易な袋１内に紙状筒２の他方の開口端から、例えば、内容物投入口となるバルブ２０が有れば、それに粉粒体などの供給源を接続して、エアーと共に粉粒体を開封容易な袋１内に送り粉粒体を充填する。充填が終了したらバルブ２０を封止し、その他の必要作業を終了すれば、粉粒体充填済みの開封容易な袋１となり、流通に乗せることができる。
【００３４】
そして、開封容易な袋１内に充填されている粉粒体を使用したい場合には、図７に示すように、開封テープ１１の開封片１１ａあるいは切裂片１１ｂを手指でつかんで、引っ張れば、化粧紙１２を切断することが出来、上紙２ａの折曲げ片１０部分を裸出でき、折曲げ片１０部分は貼り合わせされていないので、折曲げ片１０部分を手指で容易につまむことができ、上紙２ａの剥離のりで貼り合わせてある部分を剥がせば、開口部７を開放できて、内容物２１を取り出すことができる。すなわち、開封容易な袋１を他の器具類を使用しないで、容易に開封出来て、粉粒体を取り出し使用することが出来る。
【００３５】
以上、本発明の実施例１を説明したが、具体的な構成はこれに限定されず、本発明の要旨を逸脱しない範囲での変更は適宜可能であることは理解されるべきである。
【産業上の利用可能性】
【００３６】
本発明の開封容易な袋は、簡易な構造であるのに、粉粒体の漏れの完全な阻止や必要な強度に対し充分に満足した上で、開封を容易且つ完全に行いたいような場合に、利用可能性が極めて高くなる。
【符号の説明】
【００３７】
１                        開封容易な袋
２、６０                  紙状筒
２ａ、６４                上紙
２ｂ、６５                下紙
３Ａ                      一方の開口端部
３ａ、６１                開口端
４                        折り目
５、６、６２、６３        三角折込み部
７                        開口部
８、６６                  展開面
９ａ、９ｂ、６８          折れ筋
１０                      折曲げ片
１１、５２                開封テープ
１１ａ                    開封片
１１ｂ                    切裂片
１２、１２Ａ              化粧紙
２０                      バルブ
２１                      内容物
５０、５１                水平折込線折込部
５３                      アウターパッチ
５４                      固着接合用の帯状ノリ
５５                      剥離容易な帯状ノリ
６７                      中心部開口
６９                      引き剥がし片
７０                      インナーパッチ
７１                      易剥離性接着剤
７２                      開封側開口部
７３                      第１折線
７４                      第２折線
７５、７６                閉鎖筒体
ａ、ｂ、ｃ                寸法
Ｃ１                      角
Ｐ                        位置
Ｗ                        紙状筒の幅寸法
ｗ                        所定幅
【図１】
2014080202.tif 000003
【図２】
2014080202.tif 000004
【図３】
2014080202.tif 000005
【図４】
2014080202.tif 000006
【図５】
2014080202.tif 000007
【図６】
2014080202.tif 000008
【図７】
2014080202.tif 000009
【図８】
2014080202.tif 000010
【図９】
2014080202.tif 000011
【図１０】
2014080202.tif 000012
【図１１】
2014080202.tif 000013
【図１２】
2014080202.tif 000014
【図１３】
2014080202.tif 000015
【図１４】
2014080202.tif 000016